(57)【特許請求の範囲】
【請求項１】
複数の二次電池を備えた蓄電装置であって、
外気と連通していない内部空間を備えた筺体と、
前記筺体の前記内部空間内に収容された前記複数の二次電池と、
前記複数の二次電池を挟んで前記内部空間の鉛直方向上下に配置され、前記内部空間内に前記複数の二次電池の周囲を循環する気流を形成する第一のファンおよび第二のファンと、
前記内部空間内の熱を外気中へ放熱する放熱部材と、
前記筺体の前記内部空間を仕切って、前記内部空間内に第一の空間および第二の空間を形成する隔壁と、
前記隔壁に設けられ、前記第一の空間と前記第二の空間とを連通させる少なくとも２つの開口部と、を有し、
前記複数の二次電池は前記第一の空間内に配置され、前記放熱部材は前記第二の空間内に配置されていることを特徴とする蓄電装置。
【請求項２】
前記内部空間は密閉空間であることを特徴とする請求項１に記載の蓄電装置。
【請求項３】
前記隔壁と、該隔壁に対向する前記放熱部材の吸熱面との間に、前記気流の循環経路の一部を構成する第一の流路が形成され、
各二次電池の端面であって前記隔壁と対向する端面と反対側の端面と、該端面に対向する前記筺体の内面との間に、前記循環経路の他の一部を構成する第二の流路が形成されていることを特徴とする請求項１または２に記載の蓄電装置。
【請求項４】
前記第一のファンと前記第二のファンのいずれか一方が、前記内部空間内に収容されている電子機器に内蔵されているファンであることを特徴とする請求項１乃至請求項３のいずれか一項に記載の蓄電装置。
【請求項５】
前記電子機器がＰＣＳユニットであることを特徴とする請求項４に記載の蓄電装置。
【請求項６】
前記ＰＣＳユニットは、前記第一の空間であって前記複数の二次電池の上方に設けられていることを特徴とする請求項５に記載の蓄電装置。
【請求項７】
前記放熱部材の放熱面を覆う外装パネルを有し、前記外装パネルに、前記放熱部材の吸熱面を外気に連通させる開口部が形成されていることを特徴とする請求項１乃至請求項６のいずれか一項に記載の蓄電装置。
【請求項８】
前記二次電池が、複数のフィルム外装電池が収容された電池パックであることを特徴とする請求項１乃至請求項７のいずれか一項に記載の蓄電装置。
【発明の詳細な説明】
【技術分野】
【０００１】
本発明は、複数の二次電池を備えた蓄電装置に関するものである。
【背景技術】
【０００２】
蓄電装置は複数の二次電池を備え、それら二次電池に充電されている電気を必要に応じて放電する。例えば、電気料金が安い深夜に充電された電気を昼間に放電したり、太陽光発電によって昼間に充電された電気を夜間に放電したりする。また、停電時にそれまでに充電されていた電気を放電したりもする。
【０００３】
上記のような蓄電装置は、従来、工場や事業所などに設置されることが多かったが、近年では一般住宅にも設置されるようになってきた。
【０００４】
現在、蓄電装置に備えられる二次電池としては、フィルム外装電池が一般的である。フィルム外装電池は、正極板と負極板がセパレータを介して交互に積層された電池要素を有し、この電池要素が電解液とともにラミネートフィルムなどの外装フィルム内に封入されている。
【０００５】
特許文献１には、フィルム外装電池の一つであるリチウムイオン電池を備えた蓄電装置が記載されている。特許文献１に記載されている蓄電装置は、金属板からなる直方体状のケーシングを備えており、該ケーシングの内部空間が壁によって左側空間と右側空間に区画されている。そして、右側空間には、複数のセルが一体に箱詰めされたリチウムイオン電池およびリチウムイオン電池の充填ユニットが配置されている。一方、左側空間には、該左側空間を形成する壁との間に放熱空間を介して、リチウムイオン電池から交流電力を供給する交流電力供給制御部が配置されている。
【０００６】
さらに、左側空間の上方にはファンが設けられており、該ファンによって左側空間内の空気が撹拌されるようになっている。また、特許文献１には、ケーシング内の温度上昇を抑制すべく、ケーシングに通気部を形成することが示唆されており、通気部の一例として蓋付きスリットが挙げられている。
【先行技術文献】
【特許文献】
【０００７】
【特許文献１】特開２０１０−１８２５４１号公報（段落００１３、００１４、００１６、００２０）
【発明の概要】
【発明が解決しようとする課題】
【０００８】
特許文献１に記載されている蓄電装置では、交流電力供給制御部が配置されている左側空間内の空気がファンによって撹拌される。しかし、この左側空間とリチウムイオン電池が配置されている右側空間とは壁によって仕切られており空気の流通は遮断されている。すなわち、特許文献１に記載されている蓄電装置ではリチウムイオン電池の冷却は考慮されていない。しかしながら、リチウムイオン電池その他の二次電池は、周囲温度により特性が変化するので、周囲温度を所定の温度範囲内に維持することが望ましい。
【０００９】
この点、特許文献１による示唆に従ってケーシングに通気部を形成すると、該通気部からの雨水や塵埃の侵入が懸念される。そして、通気部からの雨水や塵埃の侵入を確実に防止するためには、通気部にフィルタなどを設ける必要が生じる。
【００１０】
本発明の目的は、上記課題の少なくとも一つを解決することである。
【課題を解決するための手段】
【００１１】
本発明の蓄電装置は、複数の二次電池を備えた蓄電装置であって、外気と連通していない内部空間を備えた筺体と、前記筺体の前記内部空間内に収容された前記複数の二次電池と、前記複数の二次電池を挟んで前記内部空間の鉛直方向上下に配置され、前記内部空間内に前記複数の二次電池の周囲を循環する気流を形成する第一のファンおよび第二のファンと、前記内部空間内の熱を外気中へ放熱する放熱部材と、前記筺体の前記内部空間を仕切って、前記内部空間内に第一の空間および第二の空間を形成する隔壁と、前記隔壁に設けられ、前記第一の空間と前記第二の空間とを連通させる少なくとも２つの開口部と、を有し、前記複数の二次電池は前記第一の空間内に配置され、前記放熱部材は前記第二の空間内に配置されていることを特徴とする。
【発明の効果】
【００１２】
本発明によれば、上記課題の少なくとも一つが解決される。
【図面の簡単な説明】
【００１３】
【図１】筺体の外観斜視図である。
【図２】筺体の分解斜視図である。
【図３】蓋の分解斜視図である。
【図４】内部筺体の斜視図である。
【図５】筺体内部を示す正面図である。
【図６】ＰＣＳユニットの収容状態を示す斜視図である。
【図７】ＢＭＵの収容状態を示す斜視図である。
【図８】上板を示す斜視図である。
【図９】下板を示す斜視図である。
【図１０】電池パックの収容状態を示す斜視図である。
【図１１】電池パックの分解斜視図である。
【図１２】電池パックの収容状態を示す斜視図である。
【図１３】電池パックの収容状態を示す部分拡大正面図である。
【図１４】ボックスの取り付け状態を示す斜視図である。
【図１５】筺体内における空気の流れを模式的に示す透視図である。
【図１６】筺体内における空気の流れを模式的に示す透視図である。
【発明を実施するための形態】
【００１４】
以下、図面を参照しながら本発明の蓄電装置の実施形態の一例について説明する。本実施形態に係る蓄電装置は、金属製の筺体、複数の二次電池、電池制御ユニット（ＢＭＵ：Battery Management Unit）、ＰＣＳ（Power Conditioner System）ユニットおよび制御システムを少なくとも備えている。
【００１５】
ＢＭＵは、各二次電池とＰＣＳユニットおよび制御システムとの間に介在し、各二次電池の状態に関する情報を収集し、収集された情報に基づいて各二次電池の状態を判断する。さらに、ＢＭＵは、判断結果に基づいて、各二次電池の状態を示す情報をＰＣＳユニットおよび制御システムへ出力する。ＰＣＳユニットは、外部電源（商用電源や太陽電池）から供給される交流電圧を直流電圧に変換して各二次電池に出力し、また、各二次電池から供給される直流電圧を交流電圧に変換して外部（負荷）へ出力する。制御システムは、演算処理装置、メモリおよびメモリに格納されているプログラムから主に構成されており、当該蓄電装置を統括的に制御する。制御システムは、例えば、上記プログラムに従ってＢＭＵとＰＣＳユニットの間の情報伝達を管理・制御したり、二次電池の充電量や放電量を管理・制御したり、蓄電装置の運転モード（充電モード、放電モード）を切り替えたりする。なお、本実施形態に係る蓄電装置では、ノート型ＰＣ（Personal Computer）と該ＰＣに内蔵されているメモリと該メモリに記憶されているプログラムなどによって制御システムが構成されている。なお、上記説明は、ＢＭＵ、ＰＣＳユニットおよび制御システムが有する主な機能を説明したものであり、ＢＭＵ、ＰＣＳユニットおよび制御システムは上記機能以外の機能も有する。
【００１６】
図１は、筺体１の外観斜視図であり、（ａ）は正面側斜視図、（ｂ）は背面側斜視図である。また、図２は、筺体１の分解斜視図である。これらの図に示すように、筺体１は、内部筺体２と該内部筺体２を覆っている外装パネルとから主に構成され、全体として略直方体状の外観を呈する箱である。なお、内部筺体２および外装パネルは金属製であり、本実施形態ではステンレス製である。また、筺体１のサイズに特に制限はないが、本実施形態における筺体１のサイズは、幅（Ｗ）４５０ｍｍ、奥行き（Ｄ）７６０ｍｍ、高さ（Ｈ）８８０ｍｍである（図１（ａ）参照）。
【００１７】
図２に示すように、内部筺体２は、平面視略長方形のベース（底部）１０と、ベース１０の２つの長辺からそれぞれ立ち上がる右側面１１および左側面１２と、ベース１０の一方の短辺から立ち上がる背面１３（図４）と、ベース１０に対向する天井面１４とを有し、背面１３と対向する面（前面）は開口している。内部筺体２の各面の外側には、必要に応じて補強材が取り付けられている。
【００１８】
内部筺体２の左右側面１１、１２には、側面パネル２１、２２がそれぞれ被せられている。また、内部筺体２の背面１３には背面パネル２３が被せられ、天井面１４には天井パネル２４が被せられている。さらに、内部筺体２の前面には前面パネル２５が設けられている。各パネルは、必要に応じてリベットまたは溶接によって互いに固定され、或いは内部筺体２に固定されている。もっとも、前面パネル２５だけは、内部筺体２の前面に回動可能に取り付けられている。すなわち、前面パネル２５は、筺体１の開口部３０を開閉する蓋３１を構成している。また、内部筺体２の背面１３（図４）と背面パネル２３の間には後述する放熱部材が配置されており、背面パネル２３には、放熱部材を外気に連通させるためのスリット２３ａが複数形成されている。
【００１９】
図３は、主に前面パネル２５によって構成される筺体１の蓋３１を示す分解図である。蓋３１は、前面パネル２５と、前面パネル２５の内側に嵌め込まれたフレームパネル２６とから構成されている。蓋３１の下端両側にはフック３２がそれぞれ設けられ、上端両側にはロック機構３３がそれぞれ設けられている。蓋３１は、各フック３２を筺体開口部３０の下縁に設けられている軸（不図示）に係止させることにより、軸を回転軸として図２中の矢印方向に回動可能となるように筺体１に取り付けられる。また、本実施形態におけるロック機構３３は、いわゆるパチン錠であり、蓋３１の上端両側にはパチン錠の受け部３３ａが設けられている。一方、筺体開口部３０の上縁には、パチン錠のアームおよびレバー（不図示）が設けられている。パチン錠は、アームを受け部３３ａに引っ掛けた状態でレバーを所定方向へ回動操作することによってロックされ、レバーを逆方向へ回動操作することによってロックが解除される。もっとも、ロック機構３３はパチン錠に限定されるものではなく、任意のロック機構を採用することができる。
【００２０】
図４（ａ）（ｂ）に示すように、内部筺体２の背面１３には、その上下に開口部（上側開口部１３ａ、下側開口部１３ｂ）が設けられている。また、背面１３の縁には高さ約４０ｍｍのフランジ１３ｃが設けられており、フランジ１３ｃの内側に放熱部材４０が収容され、その上から背面パネル２３（図２）が被せられている。換言すれば、内部筺体２の背面１３と背面パネル２３との間に設けられた空間２７内に放熱部材４０が配置されている。さらに換言すれば、筺体１の内部空間は、隔壁（内部筺体２の背面１３）によって、内部筺体２の内側空間と空間２７とに仕切られており、内部筺体２の内側空間と空間２７は、２つの開口部１３ａ、１３ｂを介して連通している。
【００２１】
ここで、放熱部材４０は、多数のフィンが形成された吸熱面４１および放熱面４２を備えており、吸熱面４１が背面１３と対向する向きで配置されている。また、放熱部材４０の外周面は、フランジ１３ｃの内周面と密接している。さらに、フランジ１３ｃの端面と背面パネル２３の間にはゴム製のパッキン４１が設けられ、所定の気密性および水密性が確保されている。
【００２２】
図５は、蓋３１が取り外された状態の筺体１の正面図である。筺体１の内部空間、より厳密には内部筺体２の内側空間は、上下方向に沿って３つの空間に区画されており、上段にＰＣＳユニット５０が収納され、中段にＢＭＵ６０および複数（本実施形態では１３個）の電池パック７０が収容され、下段に端子台（不図示）が収容されている。以下、図６〜図１３を参照して筺体１の内部構造、すなわち本実施形態に係る蓄電装置の内部構造について具体的に説明する。
【００２３】
図６（ａ）に示すように、筺体１の内部空間は、一対の板状部材（上板８０、下板９０）によって３つの空間に区画されている。具体的には、上板８０と内部筺体２の天井面１４の間の空間（第１空間）、上板８０と下板９０の間の空間（第２空間）および下板９０とベース１０の間の空間（第３空間）に区画されている。
【００２４】
ＰＣＳユニット５０は、シャーシ５１に固定された状態で第１空間に収容されている。第１空間にＰＣＳユニット５０を収容する際には、図６（ａ）に示すように、ＰＣＳユニット５０が固定されているシャーシ５１を上板８０の上面に沿ってスライドさせて第１空間内へ挿入する。このとき、図６（ｂ）に示すように、ＰＳＣユニット５０が第１空間内へ完全に挿入される前に挿入作業を一時中断し、必要なケーブルをＰＣＳユニット５０に接続する。その後、ＰＳＣユニット５０を第１空間内へ完全に挿入し、シャーシ５１を上板８０にネジで固定する。
【００２５】
図７（ａ）に示すように、ＢＭＵ６０は第２空間に収容されている。ここで、図８、図９を参照して上板８０および下板９０の構造について予め説明する。図８は上板８０の斜視図であり、（ａ）は上面側の斜視図、（ｂ）は下面側の斜視図、（ｃ）は分解斜視図である。また、図９は下板９０の斜視図であり、（ａ）は上面側の斜視図、（ｂ）は下面側の斜視図、（ｃ）は分解斜視図である。
【００２６】
図８（ｃ）に最も明確に示されているように、上板８０は、ベースプレート８１と、ベースプレート８１の上面に設けられた一対のブラケット８２と、ベースプレート８１の下面に設けられた複数本の支持部材８３と、支持部材８３の上に掛け渡された複数本のレール部材８４とから構成されている。ブラケット８２の長手方向一端は上向きに折り曲げられており、折り曲げられている端部にネジ穴（不図示）が形成されている。このネジ穴には、ＰＣＳユニット５０が搭載されているシャーシ５１（図６）を上板８０に固定するためのネジが螺合される。一方、ベースプレート８１の下面には、複数本の支持部材８３が所定間隔で平行に並べられている。さらに、支持部材８３の上に、該支持部材８３の長手方向に沿って複数本のレール部材８４が一定間隔で平行に並べられている。各レール部材８４は、略コ字形の断面形状を有しており、隣接するレール部材８４の側壁間にガイド溝８５が形成されている。すなわち、下板９０の上面と対向する上板８０の下面には、１３本のガイド溝８５が平行に設けられている。
【００２７】
図９（ｃ）に最も明確に示されているように、下板９０は、ベースプレート９１と、ベースプレート９１の下面に設けられた一対のブラケット９２と、一対のブラケット９２の間に渡された複数本の支持部材９３と、ベースプレート８１の上面に設けられた複数本のレール部材９４とから構成されている。複数本の支持部材９３は、対向するブラケット９２の間に、これらブラケット９２の長手方向に沿って所定間隔で平行に並べられている。一方、複数本のレール部材９４は、ベースプレート９１の上面に、支持部材９３の長手方向に沿って一定間隔で平行に並べられている。各レール部材９４は、略コ字形の断面形状を有しており、隣接するレール部材９４の側壁間にガイド溝９５が形成されている。すなわち、上板８０の下面と対向する下板９０の上面には、１３本のガイド溝９５が平行に設けられている。そして、上板８０に設けられている各ガイド溝８５と下板９０に設けられている各ガイド溝９５は一対一で対応している。なお、各レール部材８４、９４の側壁端部はそれぞれ内側に向けて折り曲げられている。結果、各ガイド溝８５、９５の端部（出入り口）の幅は、それ以外の部分の幅よりも若干広くなっている。
【００２８】
再び図７を参照する。ＢＭＵ６０は、内部筺体２の左側面１２に沿って第２空間内に挿入されている。また、第２空間内に挿入されたＢＭＵ６０は、上板８０および下板９０の端面に不図示のネジで固定されている。
【００２９】
図５および図１０に示すように、第２空間内であって、ＢＭＵ６０の隣には、複数の二次電池（本実施形態では複数の電池パック７０）が収容されている。換言すれば、ＢＭＵ６０と内部筺体２の右側面１１の間に複数の電池パック７０が収容されている。図１１に示すように、各電池パック７０は、略板状のモジュールケース７１を有し、モジュールケース７１の２つの主面（Ａ面、Ｂ面）に形成された凹部内にフィルム外装電池（リチウムイオン電池）７２が配置されている。より具体的には、モジュールケース７１の各主面には、上記凹部が２つずつ形成されており、各凹部内にフィルム外装電池７２が１つずつ配置されている。なお、図１１では、モジュールケース７１の一方の主面（Ａ面）に配置されている２つのフィルム外装電池７２のみが図示されているが、モジュールケース７１の他方の主面（Ｂ面）にも２つのフィルム外装電池が同様に配置されている。要するに、各電池パック７０は４つのフィルム外装電池７２を備えおり、それら４つのフィルム外装電池７２がケース７１に設けられている接続部材（バスバー）を介して直列接続されている。もっとも、本発明の蓄電装置に用いられる二次電池は上記電池パックに限定されるものではない。
【００３０】
図１１に示すように、モジュールケース７１のそれぞれの主面上に配置されている２つのフィルム外装電池７２の上には、これらフィルム外装電池７２を一括して覆うことが可能な大きさの絶縁シート７３が被せられ、絶縁シート７３の上にはカバー７４が被せられている。また、モジュールケース７１の端面には把手７５が一体成形されている。
【００３１】
再び図１０を参照する。本実施形態に係る蓄電装置では、複数の電池パック７０が縦向きで並列配置されている。換言すれば、隣接する電池パック７０（モジュールケース７1）のＡ面とＢ面が対向するようにして複数の電池パック７０が第２空間内に並列配置されている。さらに換言すれば、各電池パック７０は、その主面が内部筺体２の側面１１、１２（図２）と平行となる向きで内部筺体２内に並列配置されている。そして、上記のように並列配置された各電池パック７０は、把手７５が設けられている端面が筺体開口部３０の開口面と対向している。すなわち、把手７５は筺体開口部３０に露出している。上記のように複数の電池パック７０を縦向きで並列配置することにより、各電池パック７０に他の電池パック７０の重量が作用することを回避できる。
【００３２】
上記のように並列配置されている各電池パック７０の上端（上縁）は、その全長に亘ってガイド溝８５に挿入され、下端（下縁）は、その全長に亘ってガイド溝９５に挿入されている。要するに、筺体１内には、各電池パック７０を挿入および抜去可能なスロットが設けられている。ここで、ガイド溝８５、９５の端部（出入り口）の幅は、それ以外の部分の幅よりも若干広くなっている。よって、各電池パック７０の端部をガイド溝８５、９５の端部からガイド溝８５、９５内へ容易に挿入することができる。なお、図１０では複数の電池パック７０が一体的に示されているが、各電池パック７０は互いに独立しており、それぞれ単独で筺体１に出し入れ可能である。
【００３３】
図１２（ａ）（ｂ）に示すように、筺体１内に収容された複数の電池パック７０は、一対の固定部材１０１、１０２によって一括して筺体１に固定されている。具体的には、電池パック７０の端面上部とこれに隣接する上板８０の端面との間に跨る上側固定部材１０１が上板８０の端面にネジ留めされている。また、電池パック７０の端面下部とこれに隣接する下板９０の端面との間に跨る下側固定部材１０２が下板９０の端面にネジ留めされている。これら２つの固定部材１０１、１０２によって各電池パック７０が前後方向（筺体１への挿入／抜去方向）において固定されている。なお、各電池パック７０が、ガイド溝８５、９５を形成しているレール部材８４、９４の側壁によって左右方向において固定されていることは自明である。
【００３４】
図１３に示すように、筺体１内に収容されている複数の電池パック７０は、各電池パック７０の端面に設けられているコネクタ１１０同士を接続する電力ケーブル１１１を介して直列接続されているとともに、該電力ケーブルを介してＢＭＵ６０に接続されている。なお、各電池パック７０には直列接続された４つのフィルム外装電池７２が収容されていることは既述のとおりである。よって、本実施形態に係る蓄電装置は、直列接続された５２個（４×１３）のフィルム外装電池７２を備えており、６ｋｗｈの最大容量を有する。
【００３５】
図１３に示すように、各電池パック７０の端面には、コネクタ１１０とは別のコネクタ１１２が設けられている。そして、６つの電池パック７０のコネクタ１１２は信号ケーブル１１３を介してＢＭＵ６０のコネクタ１１４にそれぞれ接続され、残りの７つの電池パック７０のコネクタ１１２は信号ケーブル１１３を介してＢＭＵ６０のコネクタ１１５にそれぞれ接続されている。これらコネクタやケーブルは、各電池パック７０の状態をセンシングするためのものであって、これらコネクタやケーブルを介して各電池パック７０の状態を示す情報がＢＭＵ６０に入力される。
【００３６】
図１４に示すように、背面パネル２３の外側にはボックス１２０が取り付けられており、該ボックス１２０内に制御システムを構成するノート型ＰＣが収納されている。具体的には、背面パネル２３の外面に一対のブラケット１２１がネジ留めされ、該ブラケット１２１にボックス１２０がネジ留めされている。なお、ブラケット１２１は、ボックス１２０を背面パネル２３に固定する役割以外に、背面パネル２３に形成されているスリット２３ａがボックス１２０によって塞がれないように、背面パネル２３とボックス１２０の間に隙間を形成する役割も有する。
【００３７】
なお、図１４（ａ）に示されているように、ベース１０の背面には、ケーブルを引き込むための引き込み穴やケーブルを引き出すための引き出し穴が設けられている。引き込み穴から引き込まれたケーブルは、上記端子台に設けられている所定の端子に接続される。また、上記端子台に設けられている所定の端子に接続されているケーブルが引き出し穴から外部へ引き出される。
【００３８】
次に、本実施形態に係る蓄電装置の冷却構造について説明する。筺体１内の温度を所定温度範囲内に維持することが望ましいことは既述のとおりである。この場合、筺体１に開口部や貫通穴を設ければ内部空間の温度上昇を抑制する効果が期待できる一方、雨水や塵埃の侵入が懸念されることも既述のとおりである。そこで、本実施形態に係る蓄電装置を構成する筺体１は、開口部３０が蓋３１によって閉じられると密閉され、所定の気密性および水密性が確保される構造となっている。換言すれば、筺体１の内部空間を外気に連通させるための開口部や貫通穴は設けられていない。なお、背面パネル２３に設けられているスリット２３ａ（図１、図２）は、放熱部材４０が配置されている空間２７に連通している。また、図４に示すように、空間２７を形成している内部筺体２の背面１３には開口部１３ａ、１３ｂが設けられている。しかし、背面１３には放熱部材４０が重ねて配置されており、放熱部材４０の外周面はフランジ１３ｃの内周面に密接している。また、フランジ１３ｃの端面と背面パネル２３の間にはパッキン４１が配置されている。すなわち、筺体１の内部空間は、放熱部材４０には連通しているが、外気には連通していない。より具体的には、放熱部材４０の吸熱面４１（図４（ａ））は、開口部１３ａ、１３ｂを介して筺体１の内部空間に連通し、放熱面４２（図４（ｂ））は、スリット２３ａを介して外気に連通している。かかる構造によって、筺体１の内部空間を外気に連通させることなく、筺体１内の熱を外部へ放散可能となっている。
【００３９】
さらに、筺体１内には図１５、図１６に矢印を用いて模式的に示すような空気の流れが形成され、放熱部材４０を介した放熱が促進されるようになっている。以下、具体的に説明する。
【００４０】
図１５は、本実施形態に係る蓄電装置の右側面の透視図であり、図１６は前面の透視図である。図１５に示すように、ＰＣＳユニット５０のケースには吸入口（不図示）および排気口５２が設けられており、ケース内には冷却用のファン（不図示）が内蔵されている。よって、このファンが回転すると、吸気口から空気が導入され、導入された空気が排気口５２から排気される。ここで、図１５に示すように、ＰＣＳユニット５０が収容されている筺体１の第１空間は、上側開口部１３ａを介して放熱部材４０が収容されている空間２７に連通している。また、端子台が収容されている筺体１の第３空間は、下側開口部１３ｂを介して空間２７に連通している。さらに、図１６に示すように、筺体１の第３空間内であって、下側開口部１３ｂの近傍には２つのファン１３０が設けられている。すなわち、筺体１の内部空間は、その上部および下部が空間２７にそれぞれ連通しているとともに、上部および下部にそれぞれファンが設けられている。よって、２つのファン（ＰＣＳユニット５０に内蔵されているファンおよびファン１３０）が回転すると、プッシュプルの原理により、筺体１内に図１５、図１６に矢印で示すような気流が発生する。具体的には、ＰＣＳユニット５０の排気口５２から吹き出した空気は、上側開口部１３ａを通って空間２７に流入する。空間２７に流入した空気は、該空間２７内を通過し、下側開口部１３ｂを通ってファン１３０に吸い込まれる。また、ファン１３０から吹き出した空気は、電気パック７０の下方を通過して電気パック７０の端面と前面パネル２５（蓋３１）の間の空間２８に流出する。さらに、空間２８に流入した空気は、該空間２８を通過してＰＣＳユニットユニット５０の吸気口に吸い込まれる。すなわち、筺体１の内部空間内に、電池パック７０の周囲を循環する気流が形成される。
【００４１】
上記のようにして循環する気流（空気）は、空間２７を通過（降下）する際に放熱部材４０を介した外気との熱交換によって冷却される。冷却された空気は、主に空間２８を通過（上昇）する過程で、電池パック７０との間の熱交換によって電池パック７０を冷却する。すなわち、空間２７、２８は、空気（冷却風）を循環させるための流路を筺体１内に形成している。換言すれば、内部筺体２の背面１３と該背面１３に対向する放熱部材４０の吸熱面４１は、その間に第一の流路を形成している。また、電池パック７０の端面と該端面に対向する筺体１の内面（蓋３１の内面）は、その間に第二の流路を形成している。
【００４２】
上記のような気流を筺体１内に形成することにより、電池パック７０に冷却風を直接供給して局所的に冷却する場合に比べて、複数の電池パック７０をより均一に冷却することができる。
【００４３】
なお、本実施形態では、上記気流を形成するためにＰＣＳユニット５０に内蔵されているファンを利用したが、ＰＣＳユニット５０以外にもファンが内蔵されている電子機器が収容されている場合には、該電子機器に内蔵されているファンを利用してもよい。さらには、電子機器に内蔵されているファンとは別のファンを設け、これを利用してもよい。また、ＰＣＳユニット５０の排気口５２と上側開口部１３ａとをダクトで繋いでもよい。また、温度センサを設け、該センサの検出結果に基づいて上記２つのファンの一方または双方を制御してもよい。例えば、筺体内に温度センサを設け、該センサによって検出される筺体１の内部温度に基づいて上記２つのファンの動作を制御してもよい。また、筺体外に温度センサを設け、該センサによって検出される環境温度に基づいて上記２つのセンサの動作を制御してもよい。
【符号の説明】
【００４４】
１  筺体
２  内部筺体
２７  空間
２８  空間
３０  開口部
５０  ＰＣＳユニット
６０  ＢＭＵ
７０  電池パック
７２  フィルム外装電池
８０  上板
８４  レール部材
８５  ガイド溝
９０  下板
９４  レール部材
９５  ガイド溝
【図１】
0005881140.tif 000002
【図２】
0005881140.tif 000003
【図３】
0005881140.tif 000004
【図４】
0005881140.tif 000005
【図５】
0005881140.tif 000006
【図６】
0005881140.tif 000007
【図７】
0005881140.tif 000008
【図８】
0005881140.tif 000009
【図９】
0005881140.tif 000010
【図１０】
0005881140.tif 000011
【図１１】
0005881140.tif 000012
【図１２】
0005881140.tif 000013
【図１３】
0005881140.tif 000014
【図１４】
0005881140.tif 000015
【図１５】
0005881140.tif 000016
【図１６】
0005881140.tif 000017